(57)【特許請求の範囲】
【請求項１】
情報受信端末において活用されるブックマーク情報を管理するサーバ装置に対して、当該ブックマーク情報を生成して送信する情報登録端末であって、
ユーザによって閲覧された閲覧情報の中から位置情報の候補を抽出する位置情報抽出部と、
前記位置情報抽出部が抽出した１以上の位置情報の候補を前記ユーザに提示して、当該１以上の位置情報の候補から前記ユーザの興味対象に対応した位置情報を特定するための操作を受け付ける登録操作部と、
前記登録操作部が受け付けた位置情報と前記閲覧情報中の当該位置情報に係る情報とを含むブックマーク情報を前記サーバ装置へ送信する情報送信部とを備え、
さらに、前記ユーザによって閲覧された閲覧情報が画像である場合、当該画像を解析して位置情報の候補を抽出する画像処理部を備え、
前記登録操作部は、前記位置情報抽出部および前記画像処理部が抽出した位置情報の候補が複数ある場合、複数の位置情報の候補から１つの位置情報の選択操作を受け付けることを特徴とする情報登録端末。
【請求項２】
前記ユーザの識別情報を前記ブックマーク情報に付加する付加情報管理部を備え、
前記情報送信部は、前記付加情報管理部で付加された情報と共に前記ブックマーク情報を送信することを特徴とする請求項１記載の情報登録端末。
【請求項３】
前記付加情報管理部は、前記情報受信端末のユーザのうち、前記ブックマーク情報の活用を許可するユーザの範囲を特定した公開範囲情報を、前記ブックマーク情報に付加することを特徴とする請求項２記載の情報登録端末。
【請求項４】
前記付加情報管理部は、前記ブックマーク情報の種別に応じて、活用を許可する前記情報受信端末のユーザの範囲を変更することを特徴とする請求項３記載の情報登録端末。
【請求項５】
前記位置情報は、前記ユーザによって閲覧された閲覧情報の中から抽出された緯度経度情報、または緯度経度情報に変換可能な文字列であることを特徴とする請求項１記載の情報登録端末。
【請求項６】
ユーザによって閲覧された閲覧情報が画像である場合、当該画像を解析して１以上の位置情報の候補を抽出して前記ユーザに提示し、当該１以上の位置情報の候補から前記ユーザの興味対象に対応した位置情報を特定するための操作を受け付け、特定された位置情報と前記閲覧情報中の当該位置情報に係る情報とを含めたブックマーク情報に前記ユーザの識別情報を付加して送信する情報登録端末と、
前記情報登録端末から識別情報とブックマーク情報とを受信して記憶するサーバ装置と、
情報送信の要求とユーザの識別情報とを前記サーバ装置へ送信し、前記情報送信の要求に応じて前記サーバ装置から送信された、前記ユーザの識別情報に紐付けられているブックマーク情報を受信して提示する情報受信端末とを備え、
前記情報登録端末は、前記位置情報の候補が複数ある場合、複数の位置情報の候補から１つの位置情報を選択するための操作を受け付ける情報管理活用システム。
【発明の詳細な説明】
【技術分野】
【０００１】
この発明は、複数の端末間で情報を共有して活用する情報登録端末、サーバ装置、情報受信端末および情報管理活用システムに関するものである。
【背景技術】
【０００２】
近年、現在地から目的地までのルートを案内するためのナビゲーション装置が、車両に搭載されていることが多くなった。車両に搭載されたナビゲーション装置は、装置内に目的地検索用データを保持しており、目的地を代表する施設ジャンル、電話番号、施設名称または住所などの情報をユーザが指定することで目的地を検索することができる。このナビゲーション装置は、装置内に保持している地図データ上に現在地から検索した目的地までのルートを表示し、音声または矢印表示等によりユーザに指示を出すことで目的地まで誘導することができる。
【０００３】
ナビゲーション装置は車両に搭載されているため、目的地を設定するためには、ユーザが車両に乗車し、ナビゲーション装置を起動してから、前記の方法で目的地を設定する必要があった。しかしながら、ユーザが車両に乗車するよりも前の時点で目的地が決まっていたり、今すぐ目的地に行く予定はないが将来的に行きたいと考えていたりする場合もある。そこで、例えばインターネット上で見つけた場所をナビゲーション装置の目的地として設定する技術の一例が特許文献１に記載されている。この特許文献１に係る情報提供システムは、インターネット上の公開情報を参照して、その公開情報に含まれる住所情報などから、その公開情報に対応する位置情報を取得し、ナビゲーション装置に適した情報に変換する変換装置と、変換後の情報を変換装置から取得して提供表示するナビゲーション装置とを備えている。
【０００４】
特許文献１に係る情報提供システムによれば、ユーザは、インターネット上のホームページにアクセスするためのブラウザを有するＰＣ（パーソナルコンピュータ）またはスマートフォン等で情報を閲覧し、興味を持ったホームページをブックマークとして保存することができる。変換装置は、ブックマークされたホームページから住所情報などの位置に関する情報を取得し、ナビゲーション装置に適した緯度経度情報などに変換する。ナビゲーション装置は、画面に表示する地図上に、緯度経度情報などに変換された情報の示す位置を提供表示する。これにより、乗車前にユーザが興味を持った対象を、乗車後にナビゲーション装置に目的地として設定することができる。
【先行技術文献】
【特許文献】
【０００５】
【特許文献１】特開２０１２−２２０３０６号公報
【発明の概要】
【発明が解決しようとする課題】
【０００６】
しかしながら、ブックマークされたホームページ等のウェブページには、１つの画面に複数の施設等の情報が提示されていることも多く、それに応じて住所情報などの位置に関する情報が複数存在することが頻繁に起こり得ることから、画面表示中のウェブページ上でユーザが興味を持った対象に対応した位置情報の特定が困難であるという課題があった。もし、ウェブページ上に存在する複数の位置情報のすべてを、ナビゲーション装置の地図上に提供表示してしまうと、ユーザは、自身が興味を持った対象に紐付いた位置情報を探して目的地に設定しなくてはならない。
【０００７】
特に、車両に搭載されたナビゲーション装置は、操作画面、操作方法および操作できる時間に制約があるため、目的地を簡単に設定できることが望ましい。しかし、上記特許文献１に記載された情報提供システムでは、ナビゲーション装置において特定のブックマークが選択された後にはじめて、変換装置が当該ブックマークに対応するウェブページ上の位置に関する情報を取得して変換するため、上記のように一画面に複数の位置に関する情報が存在する場合はナビゲーション装置上でユーザがあらためて興味対象に対応する位置情報を選択しなければならない。
【０００８】
この発明は、上記のような課題を解決するためになされたもので、ユーザによって閲覧されたウェブページ等の中からユーザが興味を持った対象に対応する位置情報を予め特定しておき、スムーズに活用できるようにすることを目的とする。
【課題を解決するための手段】
【０００９】
この発明に係る情報管理活用システムは、ユーザによって閲覧された閲覧情報の中から位置情報の候補を１以上抽出してユーザに提示し、当該１以上の位置情報の候補からユーザの興味対象に対応した位置情報を特定するための操作を受け付け、選択操作された位置情報と閲覧情報中の当該位置情報に係る情報とを含めたブックマーク情報にユーザの識別情報を付加して送信する情報登録端末と、情報登録端末から識別情報とブックマーク情報とを受信して記憶するサーバ装置と、情報送信の要求とユーザの識別情報とをサーバ装置へ送信し、情報送信の要求に応じてサーバ装置から送信された、ユーザの識別情報に紐付けられているブックマーク情報を受信して提示する情報受信端末とを備え、さらに、ユーザによって閲覧された閲覧情報が画像である場合、当該画像を解析して位置情報の候補を抽出する画像処理部を備え、登録操作部は、位置情報抽出部および前記画像処理部が抽出した位置情報の候補が複数ある場合、複数の位置情報の候補から１つの位置情報の選択操作を受け付けるものである。
【発明の効果】
【００１０】
この発明によれば、ユーザによって閲覧された閲覧情報の中から位置情報の候補を抽出してユーザに提示し、ユーザの興味対象に対応した位置情報の選択操作を受け付け、選択操作された位置情報と閲覧情報とを含めたブックマーク情報にしたので、情報登録端末においてユーザが興味を持った対象に対応する位置情報を、情報受信端末において活用するより前に予め特定しておくことができ、情報受信端末においてスムーズに活用することができる。
【図面の簡単な説明】
【００１１】
【図１】この発明の実施の形態１に係る情報管理活用システムの構成例を示すブロック図である。
【図２】実施の形態１に係る情報管理活用システムのハードウエア構成例を示すブロック図である。
【図３】実施の形態１におけるブックマーク情報の登録処理を説明するフローチャートである。
【図４】図３のステップＳＴ１０２における位置情報の特定処理を説明するフローチャートである。
【図５】情報登録端末の制御下で表示装置が表示する画面の一例である。
【図６】情報登録端末の制御下で表示装置が表示する画面の一例である。
【図７】サーバ装置の情報登録部が有するブックマーク情報データベースの一例である。
【図８】実施の形態１におけるブックマーク情報の活用処理を説明するフローチャートである。
【図９】情報受信端末の制御下で表示装置が表示する画面の一例である。
【図１０】情報受信端末の制御下で表示装置が表示する画面の一例である。
【図１１】実施の形態１に係る情報管理活用システムの変形例を示すブロック図である。
【図１２】この発明の実施の形態２に係る情報管理活用システムの構成例を示すブロック図である。
【図１３】実施の形態２における位置情報の特定処理を説明するフローチャートである。
【図１４】この発明の実施の形態３に係る情報管理活用システムの構成例を示すブロック図である。
【図１５】実施の形態３におけるブックマーク情報の活用処理を説明するフローチャートである。
【図１６】サーバ装置の情報登録部が有するブックマーク情報データベースの一例である。
【図１７】サーバ装置のレコメンド情報生成部が生成するユーザ傾向判定データベースの一例である。
【発明を実施するための形態】
【００１２】
実施の形態１．
図１は、この発明の実施の形態１に係る情報管理活用システム１の構成例を示すブロック図である。情報管理活用システム１は、ブックマーク情報を生成するクライアントである情報登録端末１０と、ブックマーク情報を管理するサーバ装置２０と、ブックマーク情報を活用するクライアントである情報受信端末３０とを備えている。情報登録端末１０、サーバ装置２０、および情報受信端末３０のそれぞれはネットワークで接続されている。さらに、このネットワークには、ウェブページ４１などの公開情報をネットワークを通じて送信可能な状態で保持するウェブサーバ４０が接続されている。
【００１３】
情報登録端末１０は、例えば、自宅のＰＣ、またはスマートフォンなどの携帯情報端末である。
情報受信端末３０は、例えば、車両に搭載されたナビゲーション装置、または車両に持ち込まれるスマートフォンなどの携帯情報端末である。
なお、１つの携帯情報端末が、情報登録端末１０と情報受信端末３０の両方の機能を兼ね備えていてもよい。また、情報受信端末３０として用いるナビゲーション装置は、車両に限らず、人、鉄道、船舶または航空機等を含む移動体用のナビゲーション装置であってもよい。
【００１４】
図２は、実施の形態１に係る情報管理活用システム１のハードウエア構成例を示すブロック図である。
図２（ａ）に示すように、情報登録端末１０における情報閲覧部１１、登録操作部１２、位置情報抽出部１３、付加情報管理部１４、情報送信部１５、情報受信部１６および情報編集部１７の各機能は、処理回路により実現される。即ち、情報登録端末１０は、ユーザに情報を閲覧させ、ユーザによって閲覧された情報の中から位置情報の候補を抽出し、位置情報の候補をユーザに提示してユーザの興味対象に対応した位置情報の選択操作を受け付け、位置情報と当該位置情報に係る閲覧情報などからブックマーク情報を生成してサーバ装置２０へ送信したり、サーバ装置２０から登録済みのブックマーク情報を受信して編集したりするための処理回路を備える。処理回路は、メモリ１０２に格納されるプログラムを実行するプロセッサ１０１である。
【００１５】
情報閲覧部１１、登録操作部１２、位置情報抽出部１３、付加情報管理部１４、情報送信部１５、情報受信部１６および情報編集部１７の各機能は、ソフトウエア、ファームウエア、またはソフトウエアとファームウエアとの組み合わせにより実現される。ソフトウエアまたはファームウエアはプログラムとして記述され、メモリ１０２に格納される。プロセッサ１０１は、メモリ１０２に記憶されたプログラムを読み出して実行することにより、各部の機能を実現する。即ち、情報登録端末１０は、プロセッサ１０１により実行されるときに、後述する図３と図４に示す各ステップが結果的に実行されることになるプログラムを格納するためのメモリ１０２を備える。また、これらのプログラムは、情報閲覧部１１、登録操作部１２、位置情報抽出部１３、付加情報管理部１４、情報送信部１５、情報受信部１６および情報編集部１７の手順または方法をコンピュータに実行させるものであるともいえる。
【００１６】
ここで、プロセッサ１０１および後述するプロセッサ２０１，３０１は、例えば、ＣＰＵ（Ｃｅｎｔｒａｌ  Ｐｒｏｃｅｓｓｉｎｇ  Ｕｎｉｔ）、中央処理装置、処理装置、演算装置、マイクロプロセッサ、マイクロコンピュータ、またはＤＳＰ（Ｄｉｇｉｔａｌ  Ｓｉｇｎａｌ  Ｐｒｏｃｅｓｓｏｒ）などのことである。
メモリ１０２および後述するメモリ２０２，３０２は、例えば、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）、フラッシュメモリ、ＥＰＲＯＭ（Ｅｒａｓａｂｌｅ  Ｐｒｏｇｒａｍｍａｂｌｅ  ＲＯＭ）、ＥＥＰＲＯＭ（Ｅｌｅｃｔｒｉｃａｌｌｙ  ＥＰＲＯＭ）等の不揮発性または揮発性の半導体メモリであってもよいし、ハードディスク、フレキシブルディスク等の磁気ディスクであってもよいし、ミニディスク、ＣＤ（Ｃｏｍｐａｃｔ  Ｄｉｓｃ）、ＤＶＤ（Ｄｉｇｉｔａｌ  Ｖｅｒｓａｔｉｌｅ  Ｄｉｓｃ）等の光ディスクであってもよい。
【００１７】
図２（ｂ）に示すように、サーバ装置２０における情報受信部２１、情報登録部２２、情報編集部２３および情報送信部２４の各機能は、処理回路により実現される。即ち、サーバ装置２０は、情報登録端末１０から送信されたブックマーク情報を受信して管理すると共にブックマーク情報を情報受信端末３０へ送信して活用させるための処理回路を備える。処理回路は、メモリ２０２に格納されるプログラムを実行するプロセッサ２０１である。
【００１８】
情報受信部２１、情報登録部２２、情報編集部２３および情報送信部２４の各機能は、ソフトウエア、ファームウエア、またはソフトウエアとファームウエアとの組み合わせにより実現される。ソフトウエアまたはファームウエアはプログラムとして記述され、メモリ２０２に格納される。プロセッサ２０１は、メモリ２０２に記憶されたプログラムを読み出して実行することにより、各部の機能を実現する。即ち、サーバ装置２０は、プロセッサ２０１により実行されるときに、後述する図３と図８に示す各ステップが結果的に実行されることになるプログラムを格納するためのメモリ２０２を備える。また、これらのプログラムは、情報受信部２１、情報登録部２２、情報編集部２３および情報送信部２４の手順または方法をコンピュータに実行させるものであるともいえる。
【００１９】
図２（ｃ）に示すように、情報受信端末３０における情報送信部３１、情報受信部３２、情報提示部３３およびナビゲーション部３４の各機能は、処理回路により実現される。即ち、情報受信端末３０は、サーバ装置２０からブックマーク情報を受信して提示したり、ブックマーク情報に含まれている位置情報を目的地に設定してルート案内を行ったりするための処理回路を備える。処理回路は、メモリ３０２に格納されるプログラムを実行するプロセッサ３０１である。
【００２０】
情報送信部３１、情報受信部３２、情報提示部３３およびナビゲーション部３４の各機能は、ソフトウエア、ファームウエア、またはソフトウエアとファームウエアとの組み合わせにより実現される。ソフトウエアまたはファームウエアはプログラムとして記述され、メモリ３０２に格納される。プロセッサ３０１は、メモリ３０２に記憶されたプログラムを読み出して実行することにより、各部の機能を実現する。即ち、情報受信端末３０は、プロセッサ３０１により実行されるときに、後述する図８に示す各ステップが結果的に実行されることになるプログラムを格納するためのメモリ３０２を備える。また、これらのプログラムは、情報送信部３１、情報受信部３２、情報提示部３３およびナビゲーション部３４の手順または方法をコンピュータに実行させるものであるともいえる。
【００２１】
通信装置１０３，２０３，３０３は、プロセッサ１０１，２０１，３０１によって制御されており、ネットワークに接続された他の装置と通信する。
表示装置１０４，３０４および入力装置１０５，３０５は、プロセッサ１０１，３０１によって制御されており、表示装置１０４，３０４は、プロセッサ１０１，３０１による制御下で情報を表示する。入力装置１０５，３０５は、ユーザによる操作が入力されるものであり、タッチセンサ、リモートコントローラ等の操作デバイス、音声認識装置またはスイッチなどである。
【００２２】
次に、情報登録端末１０の詳細を説明する。情報登録端末１０で閲覧する情報はどのような情報でもよいが、ここでは特にウェブページ４１を閲覧する場合を例に説明する。
情報閲覧部１１は、入力装置１０５からユーザによる操作を受け付け、この操作に従ってウェブサーバ４０がネットワーク上に公開しているウェブページ４１を通信装置１０３を介して取得し、表示装置１０４に表示させる。この情報閲覧部１１は、例えば、インターネット上のウェブページを閲覧するための、一般的なブラウザ機能を提供するものである。
なお、実施の形態１における閲覧情報は、ウェブサーバ４０が公開しているウェブページ４１に限るものではなく、電子メールまたは文書ファイルなど、ユーザが情報登録端末１０で閲覧可能なテキストデータであれば何でもよい。
【００２３】
登録操作部１２は、ユーザが閲覧中のウェブページ４１の内容に興味を持ちブックマーク情報を登録しようとした場合に、そのウェブページ４１中の興味対象に対応する位置情報と、そのウェブページ４１中の位置情報に係る情報とを紐付けて、ブックマーク情報を生成するものである。
より詳しくは、登録操作部１２は、情報閲覧部１１が表示装置１０４にウェブページ４１を表示させユーザに閲覧させているとき、このウェブページ４１中の興味対象をブックマーク情報として登録するための画面を呼び出す操作を入力装置１０５から受け付けると、登録操作画面を表示装置１０４に表示させる。この登録操作画面において、後述する位置情報抽出部１３がウェブページ４１から抽出した位置情報の候補が提示され、ユーザにより興味対象に対応する位置情報の選択操作が可能である。登録操作部１２は、入力装置１０５からユーザによる興味対象に対応する位置情報の選択操作を受け付けると、その位置情報を、ユーザの興味対象に対応した位置情報として特定する。また、登録操作部１２は、そのウェブページ４１中の位置情報に係る情報を特定する。位置情報に係る情報とは、例えば、ウェブページ４１中の位置情報に係るテキストデータなどでもよいし、ウェブページ４１が保持されている場所を示す識別子（ＵＲＬ；Ｕｎｉｆｏｒｍ  Ｒｅｓｏｕｒｃｅ  Ｌｏｃａｔｏｒ）などでもよい。また、閲覧情報が電子メールまたは文書ファイルなどである場合、これらの電子メールまたは文書ファイルなどを位置情報に係る情報としてもよい。
【００２４】
位置情報抽出部１３は、登録操作部１２がウェブページ４１中の興味対象をブックマーク情報として登録する操作を受け付けた場合に、そのウェブページ４１の中から位置情報の候補を抽出して登録操作部１２へ通知する。
【００２５】
付加情報管理部１４は、ブックマーク情報を情報受信端末３０で容易に活用できるよう、ブックマーク情報に付加情報を付加する。付加情報のもとになる情報は、予め付加情報管理部１４に設定されていてもよいし、入力装置１０５によりユーザに入力させてもよいし、ウェブページ４１から抽出してもよい。
【００２６】
情報送信部１５は、登録操作部１２が生成したブックマーク情報と付加情報管理部１４が付加した付加情報を、通信装置１０３を介して、ネットワーク経由でサーバ装置２０へ送信する。送信したブックマーク情報とその付加情報はサーバ装置２０に登録される。また、情報送信部１５は、後述する情報編集部１７が生成したブックマーク情報の編集情報を、通信装置１０３を介して、ネットワーク経由でサーバ装置２０へ送信する。
【００２７】
情報受信部１６は、通信装置１０３を介して、ネットワーク経由でサーバ装置２０から登録済みのブックマーク情報とその付加情報を受信する。
【００２８】
情報編集部１７は、情報受信部１６が受信した登録済みのブックマーク情報とその付加情報を編集または削除する操作を入力装置１０５から受け付け、受け付けた操作内容を編集情報として作成する。情報編集部１７は、生成したブックマーク情報の編集情報を、情報送信部１５を経由してサーバ装置２０へ送信させる。
【００２９】
次に、サーバ装置２０の詳細を説明する。
情報受信部２１は、情報登録端末１０から送信されたブックマーク情報とその付加情報、またはブックマーク情報の編集情報を、通信装置２０３を介して、ネットワーク経由で受信する。
【００３０】
情報登録部２２は、ブックマーク情報を記憶および管理するためのブックマーク情報データベースを有しており、情報受信部２１が受信したブックマーク情報とその付加情報をブックマーク情報データベースに登録する。このブックマーク情報データベースはメモリ２０２内にある。
【００３１】
情報編集部２３は、情報受信部２１が受信したブックマーク情報の編集情報を用いて、情報登録部２２のブックマーク情報データベースに登録されているブックマーク情報とその付加情報を書き換えたり、削除したりする。
【００３２】
情報送信部２４は、情報登録端末１０または情報受信端末３０からの要求に従い、情報登録部２２のブックマーク情報データベースに登録されているブックマーク情報とその付加情報を、要求元の端末へ、通信装置２０３を介してネットワーク経由で送信する。
【００３３】
次に、情報受信端末３０の詳細を説明する。
情報送信部３１は、通信装置３０３を介して、ネットワーク経由でサーバ装置２０へブックマーク情報送信の要求を送信する。
【００３４】
情報受信部３２は、通信装置３０３を介して、ネットワーク経由でサーバ装置２０からブックマーク情報とその付加情報を受信する。
【００３５】
情報提示部３３は、情報受信部３２が受信したブックマーク情報を並べた一覧画面を生成したり、ブックマーク情報を地図上に表示した地図画面を生成したりして、表示装置３０４に表示させる。なお、ブックマーク情報をユーザに提示する方法は、表示装置３０４に表示させる方法に限定されるものではない。例えば、情報受信端末３０がスピーカを有する構成の場合、情報提示部３３はスピーカからブックマーク情報に関する音声を出力させてもよい。
【００３６】
ナビゲーション部３４は、情報受信部３２が受信したブックマーク情報に含まれているユーザの興味対象に対応した位置情報を目的地に設定し、現在地から目的地までのルート案内を行う。ナビゲーション部３４は、例えば、地図上に現在地から目的地までのルートおよび進行方向を示す矢印を表示した地図画面を生成して、表示装置３０４に表示させる。また、情報受信端末３０がスピーカを有する構成の場合、ナビゲーション部３４は進行方向などを示す音声を出力させてもよい。
【００３７】
なお、情報提示部３３およびナビゲーション部３４が使用する地図データは、メモリ３０２に記憶されていてもよいし、通信装置１０３を介してネットワーク経由で地図サーバから取得してもよい。
【００３８】
次に、情報管理活用システム１の動作を説明する。ここで、情報登録端末１０は携帯情報端末であり、情報受信端末３０は車両に搭載されたナビゲーション装置であるものとする。
【００３９】
図３は、実施の形態１におけるブックマーク情報の登録処理を説明するフローチャートである。
ステップＳＴ１００において、情報登録端末１０の情報閲覧部１１は、入力装置１０５から受け付けるユーザの操作に従って、ネットワーク上に公開されているウェブページ４１を取得し、表示装置１０４に表示させる。
【００４０】
ステップＳＴ１０１において、ユーザがブックマーク情報を登録するための画面を呼び出す操作を入力装置１０５に入力すると、登録操作部１２がこの操作を受け付け、登録操作画面を表示装置１０４に表示させる。
【００４１】
ステップＳＴ１０２において、登録操作部１２および位置情報抽出部１３は、登録操作画面に対するユーザの操作に基づいて、ユーザが閲覧中のウェブページ４１における興味対象に対応する位置情報を特定し、そのウェブページ４１中の興味対象に対応する位置情報と当該位置情報に係る情報とを紐付けて、ブックマーク情報を生成する。
ステップＳＴ１０２の詳細は後述する。
【００４２】
ステップＳＴ１０３において、付加情報管理部１４は、生成されたブックマーク情報に付加情報を付加する。また、付加情報管理部１４は、入力装置１０５を介してユーザから、付加情報の入力を受け付けてもよい。付加情報は、例えば位置情報の選択操作を行った情報登録端末１０のユーザを識別する識別情報である。例えば情報登録端末１０が自宅ＰＣまたはスマートフォンの場合、付加情報管理部１４はログインＩＤを識別情報に利用する。この識別情報は、情報登録端末１０のユーザと情報受信端末３０のユーザが同一か否かを識別するために用いられるものであり、情報登録端末１０と情報受信端末３０とでユーザが同一の場合には情報登録端末１０の識別情報と情報受信端末３０の識別情報とは同一または互換可能な情報とする。
【００４３】
ステップＳＴ１０４において、ユーザがブックマーク情報を送信する操作を入力装置１０５に入力すると、情報送信部１５がこの操作を受け付け、付加情報が付加されたブックマーク情報をネットワーク経由でサーバ装置２０へ送信する。
【００４４】
ステップＳＴ１０５において、サーバ装置２０の情報受信部２１は、情報登録端末１０から送信された、付加情報が付加されたブックマーク情報をネットワーク経由で受信する。
ステップＳＴ１０６において、情報登録部２２は、受信したブックマーク情報とその付加情報とを、ブックマーク情報データベースに登録し記憶する。
【００４５】
図４は、図３のステップＳＴ１０２における位置情報を特定する処理を説明するフローチャートである。
ステップＳＴ１０２−１において、位置情報抽出部１３は、ユーザが閲覧中のウェブページ４１に含まれているＨＴＭＬ（ＨｙｐｅｒＴｅｘｔ  Ｍａｒｋｕｐ  Ｌａｎｇｕａｇｅ）ファイル等のテキストから、位置情報の候補となる文字列を抽出する。
位置情報の候補となる文字列とは、例えば、緯度経度、住所、電話番号および施設の名称などを表す文字列である。
【００４６】
ステップＳＴ１０２−２において、位置情報抽出部１３は、位置情報の候補が緯度経度情報であるか否かを判定する。位置情報抽出部１３は、位置情報の候補が緯度経度情報でない場合（ステップＳＴ１０２−２“ＮＯ”）、ステップＳＴ１０２−３へ進み、位置情報の候補が緯度経度情報である場合（ステップＳＴ１０２−２“ＹＥＳ”）、ステップＳＴ１０２−３をスキップする。
【００４７】
ステップＳＴ１０２−３において、位置情報抽出部１３は、位置情報の候補を緯度経度情報に変換する。変換方法は、例えばネットワーク上で提供される、住所、電話番号または施設名称を緯度経度に変換するサービス（図示なし）を利用する方法とする。
ここで、位置情報の候補を緯度経度情報に変換しているのは、情報受信端末３０が使用する位置情報の種別である緯度経度情報に一致させるためである。位置情報抽出部１３は、情報受信端末３０が使用する位置情報の種別に一致していない位置情報の候補について、一致する種別への変換処理を行えばよい。
【００４８】
ステップＳＴ１０２−４において、位置情報抽出部１３は、ステップＳＴ１０２−１およびステップＳＴ１０２−３で得た位置情報の候補を、位置情報候補リストに格納する。位置情報候補リストは、メモリ１０２内にある。
【００４９】
ステップＳＴ１０２−５において、位置情報抽出部１３は、ユーザが閲覧中のウェブページ４１のテキストを最後まで確認したか否かを判定する。位置情報抽出部１３がウェブページ４１のテキストを最後まで確認した場合（ステップＳＴ１０２−５“ＹＥＳ”）、登録操作部１２がステップＳＴ１０２−６の処理を行う。
位置情報抽出部１３は、ウェブページ４１のテキストを最後まで確認していない場合（ステップＳＴ１０２−５“ＮＯ”）、ステップＳＴ１０２−１に戻って位置情報の候補となる文字列の抽出を繰り返す。これにより、ユーザが閲覧中のウェブページ４１から、位置情報の候補をすべて抽出することができる。
【００５０】
ステップＳＴ１０２−６において、登録操作部１２は、位置情報候補リストに格納されている位置情報の候補を、登録操作画面に表示させ、ユーザにより興味対象に対応する位置情報の選択操作が可能なようにする。具体的な方法は後述する。
【００５１】
ステップＳＴ１０２−７において、登録操作部１２は、入力装置１０５からユーザによる興味対象に対応する位置情報の選択操作を受け付けたか否かを判定する。登録操作部１２は、位置情報の選択操作を受け付けていなければ（ステップＳＴ１０２−７“ＮＯ”）、ステップＳＴ１０２−６の位置情報の候補の表示を継続する。登録操作部１２は、位置情報の選択操作を受け付けると（ステップＳＴ１０２−７“ＹＥＳ”）、ユーザにより選択操作された位置情報を、ユーザの興味対象に対応する位置情報として特定し、ブックマーク情報を生成した後、図３のステップＳＴ１０３へ進む。
【００５２】
次に、登録操作画面の例を説明する。
図５は、情報登録端末１０の制御下で表示装置１０４が表示する画面の一例である。図５において、表示装置１０４の画面左には、情報閲覧部１１によりウェブページ４１の閲覧画面Ａが表示されている。ユーザがブックマーク情報の登録を指示する操作を入力装置１０５に入力すると、この入力操作を受け付けた登録操作部１２により表示装置１０４の画面右に登録操作画面Ｂが表示される。
登録操作画面Ｂを表示する契機となる入力操作はどのようなものであってもよく、表示装置１０４に表示されたソフトウエアキーまたは入力装置１０５が有するハードウエアキーに対する操作などとする。
【００５３】
また、登録操作画面Ｂには、位置情報抽出部１３によりウェブページ４１から抽出された位置情報の候補Ｄである文字列「ＸＸ県ＸＸ市ＡＡＡＡ」と、この位置情報の候補を緯度経度情報に基づいて星印で示した地図Ｃとが表示されている。
【００５４】
さらに、登録操作画面Ｂには、ユーザがブックマーク情報として登録させたい興味対象に関する付加情報Ｅとしてタイトル、コメント、タグ、重要度および公開範囲が表示されている。タイトル「イタリアンレストランＡＡＡＡ」は、付加情報管理部１４によりウェブページ４１から抽出されたものである。コメント、タグ、重要度および公開範囲は、ユーザが任意に設定できるものであり、ユーザが入力した付加情報は、入力装置１０５を介して付加情報管理部１４が受け付ける。
【００５５】
タグ情報は、ユーザがブックマーク情報として登録させたい興味対象の種別を示す情報であり、例えば「グルメ」「レジャー」「取引先」など、ユーザが任意に設定できるようになっている。なお、過去にユーザが設定したことがあるタグ情報を使用したい場合もあるため、付加情報管理部１４がサーバ装置２０から登録済みのタグ情報を取得し、タグ情報の候補として登録操作画面Ｂに表示させ、ユーザに選択操作させるようにしてもよい。これにより利便性が向上する。
また、ユーザがブックマーク情報として登録させたい興味対象の重要度は、この例では５段階の点数付けによる設定になっているが、これに限定されるものではない。
また、ユーザがブックマーク情報として登録させたい興味対象の公開範囲は、情報受信端末３０のユーザのうち、この興味対象についてのブックマーク情報の活用を許可するユーザの範囲を特定する情報であり、例えば全ユーザ、友達まで、自分のみといったように、ユーザが公開範囲を選択できるようになっている。なお、付加情報管理部１４は、タグ情報の設定時に、過去に同じタグで登録されたブックマーク情報の公開範囲をサーバ装置２０から取得して、予め同様の公開範囲を表示させてもよい。これにより、例えば「グルメ」なら全ユーザ、「レジャー」なら友達まで、「取引先」なら自分のみといったように、タグ情報に応じて公開範囲が変更される。
【００５６】
登録操作画面Ｂには、ソフトウエアキーである送信ボタンＦが表示されている。ユーザが送信ボタンＦを操作すると、この操作を受け付けた登録操作部１２によりブックマーク情報が生成され、サーバ装置２０へ送信される。
【００５７】
なお、図５の表示画面例では、ウェブページ４１の閲覧画面Ａと登録操作画面Ｂとを一つのウインドウ内に並べて表示したが、個別のウインドウに表示してもよい。
【００５８】
次に、位置情報特定のための操作方法の例を説明する。
図６は、情報登録端末１０の制御下で表示装置１０４が表示する画面の一例である。図６（ａ）では、位置情報抽出部１３により抽出された位置情報の候補Ｄが、登録操作画面Ｂにリスト表示されている。ユーザがリストの中からブックマーク情報として登録したい位置情報の候補を選択すると、選択された位置情報の候補を示す地点が地図Ｃに表示される。
また、図６（ｂ）では、ウェブページ４１において、位置情報抽出部１３により抽出された位置情報の候補Ｄに該当する文字列が、枠線Ｇ，Ｈなどにより強調表示されている。ユーザが強調表示された文字列を選択すると、選択された位置情報の候補を示す地点が地図Ｃに表示される。
ユーザは、登録操作画面Ｂに表示された位置情報の候補Ｄである文字列と、その位置情報の候補Ｄを示す地点を表示した地図Ｃとを見て、興味対象に対応した位置情報であるか確認しながら選択操作できる。
【００５９】
図６の例では、ウェブページ４１から「ＸＸ県ＸＸ市ＡＡＡＡ」と「ＸＸ県ＸＸ市ＢＢＢＢ」の２つの位置情報の候補が抽出されてユーザに提示される。登録操作部１２は、２つの位置情報の候補のうち、ユーザにより選択操作されたほうを、当該ユーザの興味対象に対応する位置情報として特定し、興味対象の位置情報に係る情報としてウェブページ４１の識別子などとあわせて、ブックマーク情報にする。
なお、ウェブページ４１から位置情報の候補が１つだけ抽出された場合、登録操作部１２は、自動的にこの１つをユーザの興味対象に対応する位置情報として特定してもよいし、登録操作画面Ｂに表示してユーザに選択操作させた上で興味対象に対応する位置情報として特定してもよい。
また、ウェブページ４１から位置情報の候補が１つも抽出されなかった場合、登録操作部１２は、入力装置１０５を介してユーザにより入力された位置情報を受け付けて、興味対象に対応する位置情報として特定してもよい。
【００６０】
次に、情報登録部２２が有するブックマーク情報データベースの例を説明する。
図７は、情報登録部２２のブックマーク情報データベースの一例である。ユーザＩＤは、情報登録端末１０のユーザを識別するための識別情報である。ＵＲＬは、ブックマーク情報として登録するウェブページ４１のネットワーク上のアドレスを表す識別子である。タイトルは、ブックマーク情報のタイトルであり、ウェブページ４１のタイトルである。位置情報は、ブックマーク情報として登録するＵＲＬのウェブページ４１の中から特定された位置情報であり、ここでは緯度経度情報である。コメント、タグ、公開範囲、重要度は、ブックマーク情報の作成時にユーザが入力したコメント情報、タグ情報、公開範囲情報、重要度である。ユーザＩＤ、タイトル、コメント、タグ、公開範囲および重要度は、付加情報である。登録日は、ブックマーク情報が情報登録部２２のブックマーク情報データベースの登録された日時であり、情報登録部２２が付加したものである。
この例では位置情報として緯度経度と住所が登録されているが、位置情報は電話番号または施設名称などであってもよく、情報受信端末３０で使用される位置情報の種別に一致していればよい。
【００６１】
図８は、実施の形態１におけるブックマーク情報の活用処理を説明するフローチャートである。
ステップＳＴ１１０において、情報受信端末３０の情報送信部３１は、ブックマーク情報送信の要求と情報受信端末３０のユーザの識別情報とを、ネットワーク経由でサーバ装置２０へ送信する。情報送信部３１は、例えば、ブックマーク情報の提示を求めるユーザの操作を入力装置３０５から受け付けたときに、ステップＳＴ１１０の処理を行う。この識別情報は、情報登録端末１０のユーザと情報受信端末３０のユーザが同一か否かを識別するために用いられるものであり、例えば情報受信端末３０に予め設定されてあってもよいし、入力装置３０５を介してユーザから入力を受け付けてもよい。
【００６２】
ステップＳＴ１１１において、サーバ装置２０の情報受信部２１は、情報受信端末３０から送信されたブックマーク情報送信の要求と識別情報を、ネットワーク経由で受信する。
ステップＳＴ１１２において、情報登録部２２は、情報受信端末３０のユーザの識別情報に該当する情報登録端末１０のユーザの識別情報に紐付けられたブックマーク情報を、ブックマーク情報データベースから取得する。このとき、情報登録部２２はブックマーク情報に付加情報も含めておく。
ステップＳＴ１１３において、情報送信部２４は、情報登録部２２がブックマーク情報データベースから取得したブックマーク情報とその付加情報を、送信要求のあった情報受信端末３０へネットワーク経由で送信する。
【００６３】
ステップＳＴ１１４において、情報受信端末３０の情報受信部３２は、サーバ装置２０から送信されたブックマーク情報とその付加情報を、ネットワーク経由で受信する。
ステップＳＴ１１５において、情報提示部３３は、情報受信部３２が受信したブックマーク情報の一覧画面を表示装置３０４に表示するなどしてユーザに提示し、ユーザによりブックマーク情報の選択操作が可能なようにする。具体的な方法は後述する。
【００６４】
ステップＳＴ１１６において、ナビゲーション部３４は、情報提示部３３が表示装置３０４にブックマーク情報を表示させているとき、入力装置３０５からユーザによるブックマーク情報の選択操作を受け付けたか否かを判定する。ナビゲーション部３４がブックマーク情報の選択操作を受け付けていなければ（ステップＳＴ１１６“ＮＯ”）、情報提示部３３はステップＳＴ１１５のブックマーク情報の表示を継続する。ナビゲーション部３４は、ブックマーク情報の選択操作を受け付けると（ステップＳＴ１１６“ＹＥＳ”）、ステップＳＴ１１７の処理を行う。
【００６５】
ステップＳＴ１１７において、ナビゲーション部３４は、ユーザにより選択操作されたブックマーク情報に含まれている位置情報を、ルート案内の目的地に設定して、現在地から目的地までの経路を探索し、ナビゲーションを開始する。
【００６６】
次に、ブックマーク情報の表示画面の例を説明する。
図９は、情報受信端末３０の制御下で表示装置３０４が表示する画面の一例である。この例では、情報受信端末３０がスマートフォンであり、表示装置３０４がスマートフォンの液晶ディスプレイであるものとする。図９（ａ）において、表示装置３０４の画面にはブックマーク情報一覧が表示されている。
このとき、ブックマーク情報であるウェブページ４１のＵＲＬと位置情報だけでなく、付加情報であるタイトル、タグ情報またはコメントなども提示することで、複数あるブックマーク情報の識別が容易になる。
また、ブックマーク情報が複数ある場合に、提示する順番として、重要度の高い順、登録日が新しい順、位置情報が示す地点と情報受信端末３０の現在地との距離が近い順などに並び替えができるものとし、どの順番で提示するかをユーザが選択可能とする。図９（ａ）では「登録日順」が選択されているため、ブックマーク情報は、登録日が新しい順に並んでいる。
さらに、ユーザがタグ情報を指定することで、指定されたタグ情報に限定したブックマーク情報の提示を行うなど、提示の方法はさまざまである。図９（ａ）では「すべてのタグ」が選択されているため、「レジャー」「グルメ」などすべてのタグのブックマーク情報が提示されている。
【００６７】
ユーザが、図９（ａ）のブックマーク情報一覧からタイトル「ＸＸ市民公園」のブックマーク情報を選択操作した場合、情報提示部３３は、入力装置３０５からこの選択操作を受け付けると、図９（ｂ）に示すようなブックマーク情報詳細の画面を表示装置３０４に表示させる。情報提示部３３は、ブックマーク情報詳細の画面に、タイトル「ＸＸ市民公園」のブックマーク情報に含まれている位置情報に基づいた地図、住所およびＵＲＬを表示している。例えば、ユーザにより住所または「目的地に設定」ボタンが選択操作されると、ナビゲーション部３４がこのブックマーク情報に含まれている位置情報を目的地に設定してナビゲーションを開始する。また、例えばユーザによりＵＲＬが選択操作されると、情報提示部３３がこのＵＲＬのウェブページ４１をネットワーク経由で取得し、表示装置３０４に表示させる。
【００６８】
図１０は、情報受信端末３０の制御下で表示装置３０４が表示する画面の一例である。この例では、情報受信端末３０が車両に搭載されたナビゲーション装置であり、表示装置３０４がナビゲーション装置の液晶ディスプレイであるものとする。図１０において、表示装置３０４の画面には、情報受信端末３０を搭載した車両Ｊの現在地周辺を示す地図が表示されている。情報提示部３３は、車両走行中、自車周辺にブックマーク情報の施設等が存在する場合、地図上にブックマーク情報を示すアイコンを表示させたり、ブックマーク情報のタイトルを表示させたりする。また、情報受信端末３０がスピーカを有する構成の場合、情報提示部３３はスピーカから「近くにブックマーク情報が存在します」等の音声アナウンスを出力させてもよい。
ユーザがアイコンを選択操作したりタイトルを発話したりしてブックマーク情報の選択操作を行うと、この選択操作を入力装置３０５を介してナビゲーション部３４が受け取り、選択操作されたブックマーク情報に含まれている位置情報を目的地に設定してナビゲーションを開始する。
【００６９】
次に、登録済みのブックマーク情報の内容の編集方法の例を説明する。
情報登録端末１０の情報編集部１７は、例えばブックマーク情報の編集を求めるユーザの操作を入力装置１０５から受け付けたときに、情報送信部１５を介してブックマーク情報送信の要求と情報登録端末１０のユーザの識別情報とをサーバ装置２０へ送信し、情報受信部１６を介してブックマーク情報をサーバ装置２０から受信する。情報編集部１７は、受信したブックマーク情報を表示装置１０４に表示するなどしてユーザに提示し、ユーザによりブックマーク情報の編集操作が可能なようにする。そして、情報編集部１７は、入力装置１０５を介してユーザからブックマーク情報の編集操作を受け付け、受け付けた内容を編集情報として情報送信部１５を介してサーバ装置２０へ送信する。
サーバ装置２０の情報編集部２３は、情報受信部２１を介して情報登録端末１０から編集情報を受信すると、この編集情報を用いて、情報登録部２２のブックマーク情報データベースに登録されているブックマーク情報を書き換える。
【００７０】
以上より、実施の形態１によれば、情報管理活用システム１は、ユーザによって閲覧された閲覧情報の中から位置情報の候補を抽出してユーザに提示し、ユーザの興味対象に対応した位置情報の選択操作を受け付け、選択操作された位置情報と閲覧情報中の当該位置情報に係る情報とを含めたブックマーク情報にユーザの識別情報を付加して送信する情報登録端末１０と、情報登録端末１０から識別情報とブックマーク情報とを受信して記憶するサーバ装置２０と、情報送信の要求とユーザの識別情報とをサーバ装置２０へ送信し、情報送信の要求に応じてサーバ装置２０から送信された、ユーザの識別情報に紐付けられているブックマーク情報を受信して提示する情報受信端末３０とを備える構成にしたので、情報登録端末１０においてユーザが興味を持った対象に対応する位置情報を、情報受信端末３０において活用するより前に予め特定しておくことができ、情報受信端末３０においてスムーズに活用することができる。特に、情報受信端末３０が、車両に搭載されたナビゲーション装置のように操作画面、操作方法、および操作できる時間の制約があるものであっても、ユーザはブックマーク情報を用いてスムーズに目的地の検索を行うことができる。また、情報登録端末１０においてユーザは位置情報の候補の中から興味対象の位置情報を選択操作するだけでよいため、ブックマーク情報の登録をスムーズに行うことができる。
【００７１】
また、実施の形態１によれば、情報登録端末１０は、ユーザによって閲覧された閲覧情報の中から位置情報の候補を抽出する位置情報抽出部１３と、位置情報抽出部１３が抽出した位置情報の候補をユーザに提示して、ユーザの興味対象に対応した位置情報の選択操作を受け付ける登録操作部１２と、登録操作部１２が受け付けた位置情報と当該位置情報に係る閲覧情報とを含むブックマーク情報をサーバ装置２０へ送信する情報送信部１５とを備える構成にしたので、ユーザが興味を持った対象に係る閲覧情報と、当該興味対象に対応する位置情報とを特定して、サーバ装置２０へ登録することができる。
【００７２】
また、実施の形態１によれば、情報登録端末１０は、ユーザの識別情報をブックマーク情報に付加する付加情報管理部１４を備え、情報送信部１５は、付加情報管理部１４で付加された情報と共にブックマーク情報を送信するようにしたので、ユーザは自身が保有する複数の異なる端末または人から借りた端末でも利用できる。例えば、ユーザが情報登録端末１０として自宅ＰＣとスマートフォンの２つを保有している場合、自宅と出先のどちらからでもブックマーク情報を登録できる。
【００７３】
また、実施の形態１によれば、付加情報管理部１４は、情報受信端末３０のユーザのうち、ブックマーク情報の活用を許可するユーザの範囲を特定した公開範囲情報を、ブックマーク情報に付加するようにしたので、例えば家族または仲間でブックマーク情報の共有が可能になる。
【００７４】
また、実施の形態１によれば、付加情報管理部１４は、ブックマーク情報の種別に応じて活用を許可する情報受信端末３０のユーザの範囲を変更するようにしたので、種別単位で公開範囲を指定できる。
【００７５】
また、実施の形態１によれば、位置情報は、ユーザによって閲覧された閲覧情報の中から抽出された緯度経度情報、または緯度経度情報に変換可能な文字列であるため、情報登録端末１０において閲覧されたウェブページ４１または電子メールなどから、情報受信端末３０において活用される位置情報の種別である緯度経度情報を取得できる。
【００７６】
また、実施の形態１によれば、サーバ装置２０は、情報登録端末１０および情報受信端末３０から情報を受信する情報受信部２１と、情報受信部２１が情報登録端末１０から受信した情報登録端末１０のユーザの識別情報と、情報登録端末１０で閲覧された閲覧情報の中から特定された位置情報および閲覧情報中の当該位置情報に係る異常方を含むブックマーク情報とを紐付けて記憶する情報登録部２２と、情報受信部２１が情報受信端末３０から情報送信の要求と情報受信端末３０のユーザの識別情報とを受信した場合、情報受信端末３０のユーザの識別情報に該当する情報登録端末１０のユーザの識別情報に紐付けられたブックマーク情報を情報登録部２２から取得して情報受信端末３０へ送信する情報送信部２４とを備える構成にしたので、情報登録端末１０から受信したブックマーク情報を管理し、情報受信端末３０へ送信して活用させることができる。
【００７７】
なお、実施の形態１においては、情報登録端末１０が位置情報抽出部１３を備え、ウェブページ４１から位置情報の候補を抽出するようにしたが、サーバ装置２０が位置情報抽出部１３を備えてウェブページ４１からの抽出を行うようにしてもよい。この変形例を図１１に示す。
図１１に示す情報管理活用システム１において、情報登録端末１０の登録操作部１２は、ステップＳＴ１０１においてブックマーク情報を登録する操作を受け付けると、ウェブページ４１の識別子（ＵＲＬ）をサーバ装置２０へ送信し、サーバ装置２０から位置情報候補リストを受信して登録操作画面に表示する。サーバ装置２０の位置情報抽出部１３は、情報登録端末１０からウェブページ４１の識別子を受信すると、その識別子のウェブページ４１をウェブサーバ４０から取得してステップＳＴ１０２−１〜ＳＴ１０２−５の処理を行い、位置情報候補リストを生成して情報登録端末１０へ返信する。
なお、情報登録端末１０で閲覧した情報として、ウェブページ４１の識別子などの閲覧情報に係る情報をサーバ装置２０へ送信するのではなく、例えば電子メールなどの閲覧情報そのものをサーバ装置２０へ送信してもよい。
【００７８】
また、実施の形態１によれば、サーバ装置２０は、ブックマーク情報が編集された編集情報を、情報受信部２１が情報登録端末１０から受信した場合に、情報登録部２２に記憶されているブックマーク情報を編集情報を用いて書き換える情報編集部２３を備える構成にしたので、サーバ装置２０に一度登録したブックマーク情報であっても、そのタイトル、コメントおよびタグ等をユーザの好みに編集できる。
【００７９】
また、実施の形態１によれば、情報受信端末３０は、情報送信の要求と情報受信端末３０のユーザの識別情報とをサーバ装置２０へ送信する情報送信部３１と、情報送信の要求に応じてサーバ装置２０から送信された、ユーザの識別情報に紐付けられているブックマーク情報を受信する情報受信部３２と、情報受信部３２が受信したブックマーク情報を提示する情報提示部３３とを備える構成にしたので、情報登録端末１０において予め特定されてある位置情報を受信してスムーズに活用することができる。
【００８０】
実施の形態２．
図１２は、この発明の実施の形態２に係る情報管理活用システム１の構成例を示すブロック図である。実施の形態２に係る情報管理活用システム１は、図１に示した実施の形態１の情報登録端末１０に対して撮像部１８および画像処理部１９が追加された構成である。図１２において図１と同一または相当する部分は、同一の符号を付し説明を省略する。
【００８１】
撮像部１８は、例えばデジタルカメラであり、撮像した画像情報をデジタルデータとして記憶する。撮像部１８の撮像対象は、ユーザが閲覧しているガイドブックまたは施設の案内パンフレットなど、目的地になる可能性のある情報が掲載された媒体である。ユーザは、例えば閲覧中のガイドブックにおいて興味を持った情景画像または住所などの文字列を、撮像部１８で撮像する。
【００８２】
画像処理部１９は、ユーザが閲覧中のウェブページ４１に含まれる画像情報、または撮像部１８で撮像された画像情報を取得し、位置情報の候補を抽出して登録操作部１２へ通知する。
【００８３】
上記実施の形態１では、公開情報であるウェブページ４１のテキストから位置情報を特定してブックマーク情報として管理活用する例について説明したが、本実施の形態２では、ウェブページ４１に含まれる画像情報または撮像部１８で撮像された画像情報から位置情報を特定してブックマーク情報として管理活用する方法について述べる。
実施の形態２においては、閲覧情報は、ユーザが情報登録端末１０で閲覧可能なテキストデータに限るものではなく、ウェブページ４１などに含まれる画像情報および撮像部１８で撮像された画像情報なども含む。
【００８４】
次に、情報管理活用システム１の動作を説明する。ここで、情報登録端末１０はカメラ撮像機能付きの携帯情報端末であり、情報受信端末３０は車両に搭載されたナビゲーション装置であるものとする。
【００８５】
実施の形態２の情報登録端末１０は、上記実施の形態１と同様に、図３に示したブックマーク情報の登録処理を行うが、その際にステップＳＴ１０２における位置情報の特定処理が一部異なる。以下、図１３に示すフローチャートを用いて、実施の形態２における位置情報の特定処理を説明する。この図１３に示すフローチャートは、図３のステップＳＴ１０２において実施の形態２の情報登録端末１０が行う位置情報の特定処理を示す。
【００８６】
ステップＳＴ２００において、画像処理部１９は、ユーザが閲覧中のウェブページ４１に含まれている画像情報、またはユーザが閲覧中のガイドブックなどを撮像部１８が撮像した画像情報において、画像情報に含まれるメタデータから位置情報の候補を抽出する。メタデータとしては、画像を撮像した地点の緯度経度情報を記憶したＥｘｉｆデータなどがある。画像処理部１９は、このメタデータから緯度経度情報を抽出して、位置情報の候補とする。
また、画像処理部１９は、画像情報のメタデータから位置情報の候補を抽出できない場合、つまりユーザが閲覧中のガイドブックなどを撮像部１８で撮像した画像情報などである場合、この画像情報を分析し、情景画像に対して画像認識を行って撮像された場所を表す施設の名称を推定したり、画像に写っている情報をテキスト情報として認識して住所または緯度経度情報を抽出したりする。画像処理部１９は、施設の名称または住所などを緯度経度情報に変換する。
【００８７】
ステップＳＴ１０２−６において、登録操作部１２は、画像処理部１９が抽出した位置情報の候補を、登録操作画面に表示させ、ユーザにより興味対象に対応する位置情報の選択操作が可能なようにする。そして、ステップＳＴ１０２−７において、登録操作部１２は、ユーザにより選択操作された位置情報を、ユーザの興味対象に対応する位置情報として特定する。また、登録操作部１２は、ブックマーク情報として登録する位置情報に係る情報を特定する。位置情報に係る情報とは、例えば、ウェブページ４１中の位置情報に係るテキストデータなどでもよいし、ウェブページ４１が保持されている場所を示す識別子でもよいし、撮像部１８が撮像した画像情報などでもよい。
【００８８】
以上より、実施の形態２によれば、情報登録端末１０は、ユーザによって閲覧された閲覧情報が画像である場合、当該画像を解析して位置情報の候補を抽出する画像処理部１９を備える構成にしたので、例えば、住所などの位置情報を表す文字列の画像または著名な施設が写っている画像から、位置情報の候補を抽出することができる。これにより、テキスト情報またはＥｘｉｆデータなどが付与されていない画像であっても、位置情報の特定が可能となり、ブックマーク情報登録の利便性を向上させることができる。
【００８９】
なお、実施の形態２においては、情報登録端末１０が位置情報抽出部１３を備える構成にしたが、図１１に示した情報管理活用システム１のようにサーバ装置２０が位置情報抽出部１３を備える構成にした場合には、画像処理部１９をサーバ装置２０が備えてもよい。
【００９０】
実施の形態３．
図１４は、この発明の実施の形態３に係る情報管理活用システム１の構成例を示すブロック図である。実施の形態３に係る情報管理活用システム１は、図１に示した実施の形態１のサーバ装置２０に対して重要度判定部２５、レコメンド情報生成部２６および広告情報生成部２７が追加され、情報受信端末３０に対して提示判定部３５が追加された構成である。図１４において図１と同一または相当する部分は、同一の符号を付し説明を省略する。
【００９１】
重要度判定部２５は、情報登録部２２のブックマーク情報データベースに登録されているブックマーク情報ごとに重要度を判定する。この重要度は、情報登録端末１０のユーザがブックマーク情報登録時に設定した重要度であってもよいし、ブックマーク情報の活用状況などに基づいて重要度判定部２５が判定する重要度であってもよい。重要度判定部２５による重要度の判定方法の詳細は後述する。重要度判定部２５が判定した重要度は、ブックマーク情報に紐付けてブックマーク情報データベースに記憶される。
【００９２】
また、重要度判定部２５は、重要度が高いブックマーク情報を、情報受信端末３０において強調して提示させる強調指示情報を生成する。重要度判定部２５は、重要度が低いブックマーク情報を、情報受信端末３０において抑制して提示させる、または提示させない抑制指示情報を生成する。重要度判定部２５が生成した強調指示情報または抑制指示情報は、情報送信部２４がブックマーク情報に付加して情報受信端末３０へ送信する。
重要度の高低は、例えば、予め定められた閾値と重要度との比較により判定される。
【００９３】
なお、情報登録部２２は、重要度判定部２５が判定した重要度に基づいて、重要度が予め定められた閾値以下のブックマーク情報をブックマーク情報データベースから削除するようにしてもよい。
【００９４】
レコメンド情報生成部２６は、ユーザが登録したブックマーク情報を用いて当該ユーザの傾向または嗜好性を判定し、傾向が近い他のユーザのブックマーク情報を勧めるものである。より詳しくは、レコメンド情報生成部２６は、情報登録部２２のブックマーク情報データベースが記憶しているブックマーク情報を用いてユーザの興味対象の傾向を判定し、傾向が同じ他のユーザのブックマーク情報をレコメンド情報として生成する。レコメンド情報生成部２６が生成したレコメンド情報は、情報送信部２４がブックマーク情報に付加して情報受信端末３０へ送信する。
【００９５】
広告情報生成部２７は、ユーザが登録したブックマーク情報を用いて当該ユーザの傾向または嗜好性を判定し、判定した当該ユーザの傾向に合わせた広告情報を生成するものである。なお、広告情報生成部２７は、レコメンド情報生成部２６が判定したユーザの傾向を用いて、広告情報を生成してもよい。広告情報のもとになる広告文、広告のジャンルおよび位置などの情報は、予め広告情報生成部２７に設定されているものとする。広告情報生成部２７が生成した広告情報は、情報送信部２４がブックマーク情報に付加して情報受信端末３０へ送信する。
【００９６】
提示判定部３５は、サーバ装置２０から受信したブックマーク情報を情報提示部３３がユーザに提示する際、提示内容を最適化するものである。より詳しくは、提示判定部３５は、サーバ装置２０から受信したブックマーク情報に強調指示情報または抑制指示情報が含まれている場合、ブックマーク情報を通常より強調して提示または抑制して提示するよう情報提示部３３に指示する。なお、強調して提示する場合、ブックマーク情報を目立つように表示するだけでなく、スピーカから音声を出力してユーザの注意をひくようにしてもよい。
【００９７】
また、提示判定部３５は、情報受信端末３０の現在地とブックマーク情報に含まれている位置情報とを用いて、ブックマーク情報の提示方法を変更する。例えば、提示判定部３５は、サーバ装置２０から受信したブックマーク情報に含まれている位置情報を基準とした予め定められた範囲内（例えば、半径５ｋｍ以内）に情報受信端末３０があるときブックマーク情報を提示するよう情報提示部３３に指示し、範囲外に情報受信端末３０があるときは提示しないよう情報提示部３３に指示する。また、提示判定部３５は、ブックマーク情報に含まれている位置情報が示す地点に情報受信端末３０が近づくにつれ、このブックマーク情報の提示を強調するよう情報提示部３３に対して指示するようにしてもよい。
【００９８】
次に、情報管理活用システム１の動作を説明する。ここで、情報登録端末１０は携帯情報端末であり、情報受信端末３０は車両に搭載されたナビゲーション装置であるものとする。
【００９９】
図１５は、実施の形態３におけるブックマーク情報の活用処理を説明するフローチャートである。ステップＳＴ３００〜ＳＴ３０２の処理は、上記実施の形態１の図８に示したステップＳＴ１１０〜ＳＴ１１２の処理と同様である。
ここでは、ユーザＩＤ０００１の情報受信端末３０から送信要求があり、情報登録部２２が、後述する図１６のブックマーク情報データベースの中からＩＤ０００１のブックマーク情報を取得したものとする。
【０１００】
ステップＳＴ３０３において、重要度判定部２５は、送信要求のあった情報受信端末３０のユーザが設定したブックマーク情報の重要度または当該ブックマーク情報の活用状況などを用いて、ブックマーク情報の重要度を判定する。そして、重要度判定部２５は、判定した重要度を予め定められた閾値と比較し、閾値より重要度が高いブックマーク情報に対しては強調指示情報を生成し、閾値より重要度が低いブックマーク情報に対しては抑制指示情報を生成する。なお、重要度判定部２５は、強調指示情報または抑制指示情報のいずれか一方のみ生成してもよい。
【０１０１】
ここで、図１６に、実施の形態３の情報登録部２２が有するブックマーク情報データベースの一例を示す。図１６に示すブックマーク情報データベースには、利用日時の項目が追加されている。それ以外の項目については、図７と同様であるため説明は省略する。利用日時は、ブックマーク情報が情報受信端末３０において例えば図９（ｂ）のように閲覧された日時または目的地に設定された日時など、活用された日時であり、情報登録部２２が情報受信端末３０から受信した活用情報に基づいて付加したものである。なお、情報登録部２２は、ブックマーク情報の活用状況として、利用日時だけでなく、利用頻度などを付加してもよい。
【０１０２】
重要度判定部２５は、例えば、図１６のブックマーク情報データベースの中から取得されたＩＤ０００１のブックマーク情報のうち、ユーザにより設定された５段階の重要度がある閾値以上（例えば、「４」以上）、かつそのブックマーク情報の利用日時が設定されていないものに対して、強調指示情報を生成する。反対に、重要度判定部２５は、重要度がある閾値以下（例えば、「２」以下）のブックマーク情報に対して、抑制指示情報を生成してもよい。
また、重要度判定部２５は、例えば、ブックマーク情報の登録日時が新しいものを重要度が高いと判定して、強調指示情報を生成してもよい。
また、重要度判定部２５は、例えば、ブックマーク情報の利用頻度に基づいて重要度を判定してもよい。重要度判定部２５は、ブックマーク情報の利用頻度が顕著に高い場合はユーザがそのブックマーク情報を把握しているとみなして、抑制指示情報を生成する。また、例えば重要度判定部２５は、ブックマーク情報の利用頻度が顕著に低い場合はユーザがそのブックマーク情報に興味がないとみなして、抑制指示情報を生成する。
【０１０３】
ステップＳＴ３０４において、レコメンド情報生成部２６は、情報受信端末３０のユーザの識別情報ごとに、各ユーザの傾向を判定し、送信要求のあった情報受信端末３０のユーザと傾向が同じまたは近い他のユーザのブックマーク情報を選択してレコメンド情報を生成する。
【０１０４】
なお、レコメンド情報生成部２６は、予め各ユーザの傾向を判定して、例えば図１７に示すようなユーザ傾向判定データベースを作成しておいてもよい。図１７に示すユーザ傾向判定データベースは、図１６に示したブックマーク情報データベースから作成されたものであり、レコメンド情報生成部２６は、各ユーザがこれまで登録したブックマーク情報から、ブックマーク情報のタグ情報として頻繁に設定されているタグ情報を「利用頻度の高いタグ」として抽出し、さらにそのタグと関連するジャンル情報を、当該ユーザが興味のある「関連ジャンル」として設定する。さらに、レコメンド情報生成部２６は、登録されているブックマーク情報のうち、位置情報として頻繁に設定されている地域を「登録頻度の高い場所」として抽出しておく。
【０１０５】
レコメンド情報生成部２６は、ステップＳＴ３０４においてこのユーザ傾向判定データベースを参照して、例えば「利用頻度の高いタグ」に「ラーメン」が設定されているユーザ（ＩＤ０００１）に対しては、同じ「ラーメン」が設定されているユーザ（ＩＤ０００３）を選択する。そして、レコメンド情報生成部２６は、図１６に示すブックマーク情報データベースの中から、ユーザＩＤ０００３に紐付いたブックマーク情報であって、ユーザ（ＩＤ０００１）に公開可能な公開範囲が設定されたブックマーク情報を取得して、ユーザ（ＩＤ０００１）に対するレコメンド情報とする。
また、レコメンド情報生成部２６は、同じタグでなくとも、関連ジャンルが同じユーザのブックマーク情報を取得してレコメンド情報としてもよいし、登録頻度の高い場所が同じユーザのブックマーク情報を取得してレコメンド情報としてもよい。
また、傾向が同じ他のユーザが多数存在する場合、登録頻度の高い場所が距離的に近い他のユーザを優先してもよい。
【０１０６】
ステップＳＴ３０５において、広告情報生成部２７は、送信要求のあった情報受信端末３０のユーザの傾向を判定し、傾向が同じまたは近い内容の広告情報を生成する。
なお、広告情報生成部２７は、図１７に示したようなユーザ傾向判定データベースを用いてユーザの傾向を判定してもよい。また、レコメンド情報生成部２６ではなく広告情報生成部２７がユーザ傾向判定データベースを生成してもよい。広告情報生成部２７は、例えば「利用頻度の高いタグ」に「ラーメン」が設定されているユーザ（ＩＤ０００１）に対しては、「登録頻度の高い場所」に近いラーメン店の緯度経度情報および広告文などを含めた広告情報を生成する。
【０１０７】
ステップＳＴ３０６において、情報送信部２４は、情報登録部２２がブックマーク情報データベースから取得したブックマーク情報に対して、重要度判定部２５が生成した強調指示情報もしくは抑制指示情報、レコメンド情報生成部２６が生成したレコメンド情報、または広告情報生成部２７が生成した広告情報のうちの少なくとも１つを付加し、送信要求のあった情報受信端末３０へネットワーク経由で送信する。
【０１０８】
ステップＳＴ３０７において、情報受信端末３０の情報受信部３２は、サーバ装置２０から送信されたブックマーク情報とこれに付加された情報とを、ネットワーク経由で受信する。
ステップＳＴ３０８において、提示判定部３５は、情報受信部３２が受信したブックマーク情報、レコメンド情報または広告情報のうち、これらの情報に含まれている位置情報が示す地点が情報受信端末３０の現在地を基準とする予め定められた範囲内（例えば、半径５ｋｍ以内）にあるものを抽出し、情報提示部３３に提示を指示する。
ステップＳＴ３０９において、情報提示部３３は、提示判定部３５から指示されたブックマーク情報、レコメンド情報または広告情報を表示装置３０４に表示するなどしてユーザに提示する。また、情報提示部３３は、提示判定部３５から指示されたブックマーク情報に強調指示情報または抑制指示情報が含まれていた場合、その指示情報に従ってブックマーク情報を強調または抑制して提示する。
【０１０９】
ステップＳＴ３１０において、提示判定部３５は、ユーザに提示中のブックマーク情報、レコメンド情報または広告情報の更新が必要か否かを判定する。提示判定部３５は、更新が必要でないと判定した場合（ステップＳＴ３１０“ＮＯ”）、ステップＳＴ１１１へ進み、更新が必要であると判定した場合（ステップＳＴ３１０“ＹＥＳ”）、ステップＳＴ３０８へ戻る。
提示判定部３５は、例えば、情報受信端末３０が一定の距離を移動した結果、これらの情報が上記予め定められた範囲外となった場合、提示しないよう情報提示部３３に指示する。また、提示判定部３５は、例えば、情報受信端末３０が一定の距離を移動した結果、表示装置３０４に提示中のブックマーク情報に近づいた場合、このブックマーク情報をより強調して提示するよう情報提示部３３に指示する。
【０１１０】
ステップＳＴ３１１，ＳＴ３１２の処理は、図８に示したステップＳＴ１１６，ＳＴ１１７の処理と同様である。
ステップＳＴ３１２においてナビゲーション部３４がブックマーク情報を目的地に設定してナビゲーションを開始した場合、ステップＳＴ３１３において、情報送信部３１は、目的地に設定されたブックマーク情報と目的地に設定された日時とを示す活用情報を、ネットワークを経由してサーバ装置２０へ送信する。
【０１１１】
ステップＳＴ３１４において、サーバ装置２０の情報受信部２１は、情報受信端末３０から送信された活用情報をネットワーク経由で受信する。
ステップＳＴ３１５において、情報登録部２２は、情報受信部２１が受信した活用情報をブックマーク情報データベースに登録する。情報登録部２２は、例えば、活用情報に基づいて、図１６に示した利用日時を設定する。
【０１１２】
なお、図１４に示した情報管理活用システム１において、サーバ装置２０は、重要度判定部２５、レコメンド情報生成部２６および広告情報生成部２７のすべてを備えている必要はなく、少なくとも１つを備える構成であってもよい。
【０１１３】
以上より、実施の形態３によれば、サーバ装置２０は、情報登録部２２が記憶しているブックマーク情報を用いて各ユーザの興味対象の傾向を判定し、あるユーザと傾向が同じ他のユーザのブックマーク情報を用いて当該あるユーザに対するレコメンド情報を生成するレコメンド情報生成部２６を備え、情報送信部２４は、レコメンド情報生成部２６が生成したレコメンド情報をブックマーク情報に付加して情報受信端末３０へ送信するようにしてので、ユーザは把握していない興味対象を見つけることができる。
【０１１４】
また、実施の形態３によれば、サーバ装置２０は、情報登録部２２が記憶しているブックマーク情報を用いてユーザの興味対象の傾向を判定し、当該ユーザの傾向に合わせた広告情報を生成する広告情報生成部２７を備え、情報送信部２４は、広告情報生成部２７が生成した広告情報をブックマーク情報に付加して情報受信端末３０へ送信するようにしたので、ユーザは自身の興味対象に類似の興味対象を見つけることができる。広告主は興味を持ちそうなユーザに効率的に広告を提示することができる。
【０１１５】
また、実施の形態３によれば、サーバ装置２０は、ブックマーク情報ごとに重要度を判定する重要度判定部２５を備え、情報登録部２２は、ブックマーク情報に、重要度判定部２５が判定した重要度を紐付けて記憶するようにしたので、例えば情報受信端末３０においてブックマーク情報を活用する際に重要度が高いもののみを提示するなど、ユーザへの情報提供方法を変えることができる。
【０１１６】
また、実施の形態３によれば、重要度判定部２５は、ブックマーク情報の重要度が閾値より高い場合、情報受信端末３０においてブックマーク情報を強調して提示させる強調指示情報を生成し、情報送信部２４は、重要度判定部２５が生成した強調指示情報をブックマーク情報に付加して情報受信端末３０へ送信するようにしたので、重要度が高いブックマーク情報をユーザに優先的に提示することができる。これにより、例えばユーザが自動車を運転している最中など、大量の情報を扱いづらい状況においても、ユーザにとって重要なブックマーク情報に限定して提示することができる。
【０１１７】
また、実施の形態３によれば、重要度判定部２５は、ブックマーク情報の重要度が閾値より低い場合、情報受信端末３０においてブックマーク情報を抑制して提示させる、または提示させない抑制指示情報を生成し、情報送信部２４は、重要度判定部２５が生成した抑制指示情報をブックマーク情報に付加して情報受信端末３０へ送信するようにしたので、重要度が低いブックマーク情報が提示されにくくなる。これにより、例えばユーザが車両を運転している最中など、大量の情報を扱いづらい状況においても、ユーザにとって重要なブックマーク情報に限定して提示することができる。
【０１１８】
また、実施の形態３によれば、情報登録部２２は、重要度判定部２５が判定したブックマーク情報の重要度が閾値以下の場合、当該ブックマーク情報を削除するようにしたので、サーバ装置２０のストレージ使用量および検索処理の負担を軽減することができる。
【０１１９】
なお、本発明はその発明の範囲内において、各実施の形態の自由な組み合わせ、各実施の形態の任意の構成要素の変形、または各実施の形態の任意の構成要素の省略が可能である。
【符号の説明】
【０１２０】
１  情報管理活用システム、１０  情報登録端末、１１  情報閲覧部、１２  登録操作部、１３  位置情報抽出部、１４  付加情報管理部、１５  情報送信部、１６  情報受信部、１７  情報編集部、１８  撮像部、１９  画像処理部、２０  サーバ装置、２１  情報受信部、２２  情報登録部、２３  情報編集部、２４  情報送信部、２５  重要度判定部、２６  レコメンド情報生成部、２７  広告情報生成部、３０  情報受信端末、３１  情報送信部、３２  情報受信部、３３  情報提示部、３４  ナビゲーション部、３５  提示判定部、４０  ウェブサーバ、４１  ウェブページ、１０１，２０１，３０１  プロセッサ、１０２，２０２，３０２  メモリ、１０３，２０３，３０３  通信装置、１０４，３０４  表示装置、１０５，３０５  入力装置、Ａ  閲覧画面、Ｂ  登録操作画面、Ｃ  地図、Ｄ  位置情報の候補、Ｅ  付加情報、Ｆ  送信ボタン、Ｇ，Ｈ  枠線、Ｊ  車両。
【図１】
0006562747.tif 000002
【図２】
0006562747.tif 000003
【図３】
0006562747.tif 000004
【図４】
0006562747.tif 000005
【図５】
0006562747.tif 000006
【図６】
0006562747.tif 000007
【図７】
0006562747.tif 000008
【図８】
0006562747.tif 000009
【図９】
0006562747.tif 000010
【図１０】
0006562747.tif 000011
【図１１】
0006562747.tif 000012
【図１２】
0006562747.tif 000013
【図１３】
0006562747.tif 000014
【図１４】
0006562747.tif 000015
【図１５】
0006562747.tif 000016
【図１６】
0006562747.tif 000017
【図１７】
0006562747.tif 000018